(57)【要約】【課題】複数のピースを組み上げた状態で塗り絵を行い、塗り絵が終わった後、各ピースをバラすことによりジグソーパズル遊びを行えるジグソーパズルを提供する【解決手段】着色された見本絵と、不規則な形状に分離した複数のピースを組合せた方形状のジグソーパズル板とを備えたジグソーパズルであって、前記ジグソーパズル板の表面には、前記見本絵を輪郭線のみとした線画が表示され、前記ピースの表面は、着色可能な白色又は淡い単色の紙で形成されている。【選択図】図１
0003125825.tif 000002
【実用新案登録請求の範囲】
【請求項１】
着色された見本絵と、不規則な形状に分離した複数のピースを組合せた方形状のジグソーパズル板とを備えたジグソーパズルであって、前記ジグソーパズル板の表面には、前記見本絵を輪郭線のみとした線画が表示され、前記ピースの表面は、着色可能な白色又は淡い単色の紙で形成されていることを特徴としたジグソーパズル。
【請求項２】
請求項１において、前記ピースの表面は、白色の厚紙で形成されていることを特徴としたジグソーパズル。
【請求項３】
請求項１又は２において、前記ピースは、白色の厚紙と台紙となる厚紙の２層で形成されていることを特徴としたジグソーパズル。
【請求項４】
請求項１乃至３のいずれか１項において、前記輪郭線の線幅は、所定の幅で表示されていることを特徴としたジグソーパズル。
【請求項５】
請求項１乃至４のいずれか１項において、前記輪郭線の線色は、黒色又は単色であることを特徴としたジグソーパズル。
【請求項６】
請求項１乃至５のいずれか１項において、前記ジグソーパズル板の裏面を固定する固定シートを備えたことを特徴としたジグソーパズル。
【請求項７】
請求項１乃至７のいずれか１項において、前記固定シートの裏面には、粘着剤が塗布されていることを特徴としたジグソーパズル。
【考案の詳細な説明】
【技術分野】
【０００１】
本考案は、塗り絵も出来るジグソーパズルに関するものである。
【背景技術】
【０００２】
近年、大人であっても塗り絵を楽しむ機会が増えてきている。これは、色を選んだり塗る順番を考えたりすると前頭葉の部分を活性化させ、また昔見た絵の記憶などを思い出すと側頭葉を活性化させ、そして指を動かすことにより運動を司る部分も活性化させるなど効果が得られ、また、塗り絵によるリラクゼーション効果が得られることから注目されている。
【０００３】
また、従来、組み上げることにより脳を活性化が得られるジグソーパズルがあった。例えば、実開昭４９−１２８３９１号「モザイク式パズル遊戯具」の如く、略正方形の上下左右の辺に突状片や窪部を設けたモザイク片と呼ばれるピースを組み合わせて一定の図案にするパズルである。また、従来のジグソーパズルでは、ピースを組み上げた時に、完成された絵画となるように着色されており、ジグソーパズルを遊ぶ者が、ジグソーパズルの絵画に着色できるものではなかった。
【０００４】
そこで、複数のピースを組み上げた状態で塗り絵を行い、塗り絵が終わった後、各ピースをバラすことによりジグソーパズル遊びを行えるジグソーパズルが求められている。
【０００５】
また、完成したジグソーパズルは、観賞のために各ピースが分離しないように固定させるが、従来、各ピースを固定させるために糊が用いられている。しかしながら、この糊によってジグソーパズルの絵画が溶かされ、絵画を損なわれることが稀にあった。
【特許文献１】実開昭４９−１２８３９１号公報
【考案の開示】
【考案が解決しようとする課題】
【０００６】
そこで、本考案は、上記従来技術の問題点に斯かる実情に鑑みなされたもので、複数のピースを組み上げた状態で塗り絵を行い、塗り絵が終わった後、各ピースをバラすことによりジグソーパズル遊びを行えるジグソーパズルを提供することを課題とする。
【０００７】
また、塗り絵に使用される絵具がピース固定用の糊によって溶かされ、輪郭が崩れたり絵が滲んだりして、絵画が損なわれることが無いように保存しつつ、ジグソーパズルのピースを分離しないようにすることも課題とする。
【課題を解決するための手段】
【０００８】
請求項１に記載の考案は、着色された見本絵と、不規則な形状に分離した複数のピースを組合せた方形状のジグソーパズル板とを備えたジグソーパズルであって、前記ジグソーパズル板の表面には、前記見本絵を輪郭線のみとした線画が表示され、前記ピースの表面は、着色可能な白色又は淡い単色の紙で形成されていることを特徴とする。
【０００９】
請求項２に記載の考案は、請求項１において、前記ピースの表面は、白色の厚紙で形成されていることを特徴とする。
【００１０】
請求項３に記載の考案は、請求項１又は２において、前記ピースは、白色の厚紙と台紙となる厚紙の２層で形成されていることを特徴とする。
【００１１】
請求項４に記載の考案は、請求項１乃至３のいずれか１項において、前記輪郭線の線幅は、所定の幅で表示されていることを特徴とする。
【００１２】
請求項５に記載の考案は、請求項１乃至４のいずれか１項において、前記輪郭線の線色は、黒色又は単色であることを特徴とする。
【００１３】
請求項６に記載の考案は、請求項１乃至５のいずれか１項において、前記ジグソーパズル板の裏面を固定する固定シートを備えたことを特徴とする。
【００１４】
請求項７に記載の考案は、請求項１乃至７のいずれか１項において、前記固定シートの裏面には、粘着剤が塗布されていることを特徴とする。
【考案の効果】
【００１５】
請求項１の考案によれば、着色された見本絵と、不規則な形状に分離した複数のピースを組合せた方形状のジグソーパズル板とを備えたジグソーパズルであって、前記ジグソーパズル板の表面には、前記見本絵を輪郭線のみとした線画が表示され、前記ピースの表面は、着色可能な白色又は淡い単色の紙で形成することによって、複数のピースを組み上げた状態で塗り絵を行い、塗り絵が終わった後、各ピースをバラすことによりジグソーパズル遊びを行える。
【００１６】
請求項２の考案によれば、前記ピースの表面は、白色の厚紙で形成することによって、塗り絵の下地として好適である。
【００１７】
請求項３の考案によれば、前記ピースは、白色の厚紙と台紙となる厚紙の２層で形成することによって、塗り絵及びジグソーパズル遊びに好適なピースとすることができる。
【００１８】
請求項４の考案によれば、前記輪郭線の線幅は、所定の幅で表示することによって、塗り絵の難易度を調整できるものである。輪郭線の線幅を太くすると、塗り絵の難易度が低下し、輪郭線の線幅を細くすると、塗り絵の難易度を高くすることができる。
【００１９】
請求項５の考案によれば、前記輪郭線の線色は、黒色又は単色することによって、輪郭線が黒色の場合には、輪郭が強調した塗り絵ができる為に、塗り絵の失敗が少なくすることができる。また、例えば、輪郭線が灰色の場合には、輪郭を強調しないことから、高度な塗り絵の技術が必要となる。
【００２０】
請求項６の考案によれば、前記ジグソーパズル板の裏面を固定する固定シートを備えることによって、ジグソーパズルのピースを固定することが可能になる。
【００２１】
請求項７の考案によれば、前記固定シートの裏面には、粘着剤が塗布することによって、ジグソーパズル板の裏面から固定シートを貼着し、各ピースが分離することを防止することができる。
【考案を実施するための最良の形態】
【００２２】
着色された見本絵と、不規則な形状に分離した複数のピースを組合せた方形状のジグソーパズル板とを備えたジグソーパズルであって、前記ジグソーパズル板の表面には、前記見本絵を輪郭線のみとした線画が表示され、前記ピースは、着色可能な白色又は淡い単色の厚紙と、台紙となる厚紙との２層で形成され、前記輪郭線の線幅は、所定の幅で表示すると共に、前記輪郭線の線色は、黒色又は表面厚紙の色とは異なる単色とする。
【００２３】
また、前記ジグソーパズル板の裏面を固定する固定シートを備え、前記固定シートの裏面には、粘着剤が塗布されていることもある。
【実施例１】
【００２４】
以下、図面を参照して本考案に係るジグソーパズルの一実施例を詳細に説明する。図１は、本考案のジグソーパズルの外観を示す図である。図２は、本考案のジグソーパズルのピールの外観を示す図である。ジグソーパズルは、１枚の絵画を、複数のピース１８と呼ばれる小片に分け、バラバラにしたものを再び組み立てを行う遊戯ができるパズルである。
【００２５】
ジグソーパズルは、図３に示す着色された見本絵１２と、図１に示すジグソーパズル板１４で構成されている。ジグソーパズル板１４は、不規則な形状に分離した複数のピースを組合せ、方形状に形成されている。見本絵１２は、図３に示すように着色された絵画となっている。またジグソーパズル板１４は、図１に示すように、図３の見本絵１２の絵画を輪郭線１６のみとし、線画が表示されている。
【００２６】
このジグソーパズル板１４に表示された輪郭線１６の線幅は、一定となっており、また、輪郭線１６の線色は、黒色又は灰色となっている。この輪郭線１６の線幅の太さによって、輪郭線１６の線幅を太くすると、塗り絵の難易度が低下し、輪郭線１６の線幅を細くすると、塗り絵の難易度を高くすることができる。また、輪郭線１６の線色が黒色の場合には、輪郭が強調した塗り絵ができる為に、塗り絵の失敗が少なくすることができ、また、例えば、輪郭線１６が灰色の場合には、輪郭を強調しないことから、高度な塗り絵の技術が必要となる。この輪郭線１６は、黒色、灰色の他に、茶色など様々な他の単色とすることもできる。
【００２７】
次にピース１８について説明する。各ピース１８は、図２に示すように不規則な略方形状で、約２ｍｍの厚さとなる小片である。また、実施例のピース１８の各辺には、円状の凸部２０又は凹部２２が形成されている。このピース１８の凸部２０及び凹部２２の数は一定ではなく、０個〜４個の様々な組合せが存在し、例えば、凸部２０が４個のピース１８や、凸部２０が１個・凹部２２が３個のピース１８など、様々なピース１８がある。また、各ピース１８は、良く似た形状のピース１８が複数存在するが、それぞれ大きさや形が異なり、全く同じ形をしたピース１８は存在しないようになっている。また、隣り合うピース１８が接する辺の凸部２０及び凹部２２は、隙間無く嵌着するようになっている。また、実施例は、一般的なピース１８の形状を示したものであって、円形のピース１８や、三角形のピース１８や、キャラクターの外形形状に形成されたピース１８であっても構わない。また同様に、各ピース１８の各辺に、円形の凸部２０又は凹部２２が形成されていないピース１８であっても構わない。さらに、ピース１８の形状は、同一形状のピース１８が存在するようにしても構わないものである。
【００２８】
また、ピース１８は、白色となる厚紙となる上面層２４、台紙となる厚紙の下面層２６の２層で形成されている。この上面層２４となる白色の厚紙は、約０．５ｍｍ程度の厚みで形成されると共に、色鉛筆や水彩色絵具で着色可能となっている。また、ピース１８の上面層２４は、白色又は淡い単色の紙が好適ではあるが、着色可能であれば、如何なる色であっても構わない。そして、下面層２６となる厚紙は、約１．５ｍｍ程度の厚みで形成されている。また、実施例の下面層２６の材質は、上面層２４との接着に適した厚紙であるが、木やコルクなどの素材を用いても構わない。
【００２９】
そして、ジグソーパズル板１４のピース１８の数は、一般的には３００〜３０００個となっているが、ピース１８の数が１００個未満のものから１００００個を超える大型のものもあり、ピース１８の数は、いくつであっても構わない。
【００３０】
次に、図４〜５を用いて、このジグソーパズルの使用例を説明する。まず、塗り絵について説明する。組み上がった状態のジグソーパズル板１４の表面に表示された線画に対して、着色された見本絵１２を見ながら、水彩色鉛筆などを用いて着色する。この時に、水で湿られた筆でのばした後、さらに水彩色鉛筆で重ね描きしたり、色を組合せしたりすると、立体感を高かめることができる。
【００３１】
また、切れ目のあるジグソーパズルのピース１８の上で色を自然に伸ばすため、水彩色鉛筆を使用することが好適であるが、水彩絵の具や普通の色鉛筆を用いても構わない。また、油絵の具は、紙の表面を厚く覆うため、好適ではないものの使用することはできる。また同様に、クレヨンなども、手に色がついたり、服が汚れたりする可能性があるも使用することは可能である。
【００３２】
次に、ジグソーパズルを行う為の準備として、塗り絵が終了した後、ジグソーパズル板１４をバラす前に十分に乾燥させる。この時に、見本絵１２と塗り絵後の絵画が大きく異なる場合には、塗り絵後の絵画の写真やカラーコピーを撮っておくことが望ましい。また、その後、ジグソーパズル板１４が十分に乾き、触っても色落ちしないことを確認してから、ピース１８を切り離してバラバラにする。その後、見本絵１２、塗り絵後の絵画の写真及びカラーコピーを参考にしながら、バラバラにされたピース１８を組んでいき、ジグソーパズルを楽しむことができる。
【００３３】
次に、全てのピース１８を組み上げてジグソーパズル板１４を完成させた後、図５（Ａ）に示すように、ジグソーパズル板１４より、僅かに小さい方形状で、裏面に粘着剤が塗布された固定シート２８を、ジグソーパズル板１４の裏面から貼ってピース１８を固定する。この固定シート２８の粘着剤が塗布された面には、剥離シート３０が貼着されている。
【００３４】
固定シート２８を貼る時には、ジグソーパズル板１４を、ひとまわり大きな２枚の板紙などで両面から挟んで、各ピース１８が崩れないように裏返す。その後、図５（Ａ）に示すように、固定シート２８の剥離シート３０面を下にして、ジグソーパズル板１４の縁から上下５ｍｍずつあけてジグソーパズル板１４の裏面に置く。次に、図５（Ｂ）に示すように、固定シート２８の位置がズレないように手で抑え、固定シート２８の右側を捲りあげて、剥離シート３０の中央帯３２を剥がす。その位置のまま固定シート２８を抑え、固定シート２８の中央部を、ジグソーパズル板１４に貼り付ける。次に、図５（Ｃ）に示すように、剥離シート３０の右半分を中央から剥がしながら、反対の手で少しずつ固定シート２８を抑えて貼っていく。反対側も同様に行うことによって、固定シート２８をジグソーパズル板１４の裏面全体に貼着でき、各ピース１８が固定される。このようにすることによって、塗り絵を保存しつつジグソーパズルのピースを分離しないようにすることができる。
【００３５】
ジグソーパズル板１４の裏面に固定シート２８を貼着した後、額にジグソーパズル板１４を入れることにより、装飾品として飾ることができるようになる。これにより、塗り絵を行った遊戯者のオリジナルの絵画を収納した装飾品として、楽しむことができるようになるものである。
【００３６】
このように、塗り絵によって、色を選んだり塗る順番を考えたりすると前頭葉の部分を活性化させ、また昔見た絵の記憶などを思い出すと側頭葉を活性化させ、そして指を動かすことにより運動を司る部分も活性化させるなど効果が得られ、また、塗り絵によるリラクゼーション効果も得られる。また、絵を描きたいが絵心ないからと遠慮がちの遊戯者でも、塗り絵なら、色を塗るだけで容易に絵画を再現できるものであり、比較的容易に達成感も得られるものである。また、塗り絵が終わった後、ジグソーパズルとして楽しむことができるものであり、ジグソーパズルを行うことによって脳を活性化する効果も得られるものである。
【００３７】
以上説明したように、複数のピースを組み上げた状態で塗り絵を行い、塗り絵が終わった後、各ピースをバラすことによりジグソーパズル遊びを行えるジグソーパズルを提供することができ、また固定シートを用いることによって描かれた絵画が損なわれずにジグソーパズルのピースを分離しないようにすることが可能である。また上述の如く、好ましい実施例を挙げて本考案を説明したが、本考案はその実施例に限定されるものではなく、本考案の要旨の範囲内で種々に改変できる。
【図面の簡単な説明】
【００３８】
【図１】本考案の一実施例であるジグソーパズルの外観を示す図である。
【図２】本考案の一実施例であるジグソーパズルのピースを示す斜視図面である。
【図３】本考案の一実施例であるジグソーパズルの見本絵である。
【図４】本考案の一実施例であるジグソーパズルの塗り絵を行っている状態を示す図である。
【図５】本考案の一実施例であるジグソーパズルの固定シートの貼付を示す図である。
【符号の説明】
【００３９】
１２  見本絵
１４  ジグソーパズル板
１６  輪郭線
１８  ピース
２０  凸部
２２  凹部
２４  上面層
２６  下面層
２８  固定シート
３０  剥離シート
３２  中央帯
【図１】
0003125825.tif 000003
【図２】
0003125825.tif 000004
【図３】
0003125825.tif 000005
【図４】
0003125825.tif 000006
【図５】
0003125825.tif 000007
【手続補正書】
【提出日】平成18年8月3日(2006.8.3)
【手続補正１】
【補正対象書類名】実用新案登録請求の範囲
【補正対象項目名】請求項７
【補正方法】変更
【補正の内容】
【請求項７】
請求項１乃至６のいずれか１項において、前記固定シートの裏面には、粘着剤が塗布されていることを特徴としたジグソーパズル。
【手続補正２】
【補正対象書類名】明細書
【補正対象項目名】００１４
【補正方法】変更
【補正の内容】
【００１４】
請求項７に記載の考案は、請求項１乃至６のいずれか１項において、前記固定シートの裏面には、粘着剤が塗布されていることを特徴とする。